(57)【要約】【課題】主に各種電子機器の操作に用いられるリモコン送信機に関し、使い易く、多様な操作が可能なものを提供することを目的とする。【解決手段】所定間隔または操作キーの所定の操作に応じて、制御手段２３が要求信号を送信すると共に、受信した時刻や天気予報等の回答信号の内容を表示手段５に表示することによって、表示手段５に表示された時刻にはずれがなく、常に正確な時刻が表示されると共に、天気予報等も操作手段２の煩雑な操作を行うことなく、常に最新のものが表示手段５に表示されるため、使い易く、多様な操作が可能なリモコン送信機を得ることができる。【選択図】図１
2010178252.tif 000002
【特許請求の範囲】
【請求項１】
複数の操作キーが配列された操作手段と、この操作キーの操作に応じて送信手段から操作信号を送信する制御手段と、この制御手段に接続された表示手段からなり、所定間隔または上記操作キーの所定の操作に応じて、上記制御手段が要求信号を送信すると共に、受信した回答信号の内容を上記表示手段に表示するリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやビデオ等の各種電子機器の高機能化が進むなか、これらを遠隔操作するリモコン送信機においても、使い易く多様な操作が可能なものが求められている。
【０００３】
このような従来のリモコン送信機について、図３を用いて説明する。
【０００４】
図３は従来のリモコン送受信装置の平面図であり、同図において、１は略箱型で絶縁樹脂製のケースで、このケース１上面の開口孔には複数の操作キー２Ａや２Ｂ等が配列され、これらが上下動可能に突出して操作手段２が形成されている。
【０００５】
そして、ケース１内には上下面に複数の配線パターンが形成された配線基板（図示せず）が収納されると共に、操作手段２下方の配線基板上面には、複数の操作キー２Ａや２Ｂ等の上下動によって電気的接離を行う、複数のスイッチ接点（図示せず）が形成されている。
【０００６】
さらに、この配線基板には発光ダイオード等によって送信手段３や、マイコン等によって制御手段４が形成されると共に、ケース１上面には液晶表示素子等の表示手段５が設けられ、この送信手段３や表示手段５、複数のスイッチ接点が配線パターンを介して制御手段４に接続されて、リモコン送信機６が構成されている。
【０００７】
また、７はテレビやビデオ等の電子機器で、この前面には液晶表示素子やブラウン管等の表示手段８や、後方にスイッチ接点が形成された複数の操作キー９が設けられると共に、受光素子等の受信手段１０、マイコン等の制御手段１１から形成されたリモコン受信機１２が収納され、このリモコン受信機１２とリモコン送信機６によって、リモコン送受信装置が構成されている。
【０００８】
以上の構成において、リモコン送信機６を電子機器７に向けて、例えば選局用の操作キー２Ａを押圧操作すると、この下方のスイッチ接点の電気的接離が行われ、この電気的接離に応じて制御手段４が、送信手段３から赤外線の選局用の操作信号を電子機器７へ送信し、これをリモコン受信機１２の受信手段１０が受信し、制御手段１１によって、例えばテレビの表示手段８に放映されているチャンネルが切り換わる。
【０００９】
あるいは、電子機器７がビデオであった場合には、例えば再生用や早送り用の操作キー２Ｂを押圧操作すると、この下方のスイッチ接点の電気的接離を制御手段４が検出し、これらの操作に応じた操作信号を電子機器７へ送信して、例えばビデオのディスクやテープの再生や早送りが行われる。
【００１０】
さらに、電子機器７の電源が入った状態で、所定の操作手段２を押圧操作して、テレビの表示手段８に例えば天気予報等のメニューを表示させ、操作キー２Ｃを所定の方向に傾倒操作すると、この操作に応じた操作信号を制御手段４が送信し、例えば表示手段８に表示されたカーソル等が移動して、天気予報のメニューの選択が行われる。
【００１１】
つまり、リモコン送信機６の複数の操作キー２Ａや２Ｂ、２Ｃ等の押圧操作に応じて、制御手段４が赤外線の操作信号を送信手段３から送信すると共に、これをリモコン受信機１２が受信することによって、電子機器７の様々な操作を、離れた場所から遠隔操作できるように構成されている。
【００１２】
なお、このようなリモコン送信機６の表示手段５には、一般に日付や時刻等が表示されているが、この時刻等は制御手段４に接続された内部クロックによって行っているため、内蔵された電池の消耗等によって時刻にずれが生じる場合がある。
【００１３】
また、電池を交換した際にも時刻のずれが発生するため、このような場合には、操作手段２の複数の操作キーの所定の操作を行って、誤差を修正し時刻を合わることが必要なものであった。
【００１４】
なお、この出願の発明に関連する先行技術文献情報としては、例えば、特許文献１が知られている。
【特許文献１】特開２００７−６２９２号公報
【発明の開示】
【発明が解決しようとする課題】
【００１５】
しかしながら、上記従来のリモコン送信機においては、電池交換の際や時刻にずれが生じた場合には、操作手段２の複数の操作キーの所定の操作によって、時刻合わせを行う必要があり、また、天気予報等を知ろうとした場合にも、複数の操作キー２Ｃ等を操作して、電子機器７を遠隔操作する必要があるため、操作が煩雑で、誤操作も生じ易いという課題があった。
【００１６】
本発明は、このような従来の課題を解決するものであり、使い易く、多様な操作が可能なリモコン送信機を提供することを目的とする。
【課題を解決するための手段】
【００１７】
上記目的を達成するために本発明は、所定間隔または操作キーの所定の操作に応じて、制御手段が要求信号を送信すると共に、受信した回答信号の内容を表示手段に表示するようにしてリモコン送信機を構成したものであり、所定間隔または操作キーの所定の操作に応じて、制御手段が電子機器へ要求信号を送信し、時刻や天気予報等の受信した回答信号の内容を表示手段に表示することで、表示手段に表示された時刻にはずれがなく、常に正確な時刻が表示されると共に、天気予報等も操作手段の煩雑な操作を行うことなく、常に最新のものが表示手段に表示されるため、使い易く、多様な操作が可能なリモコン送信機を得ることができるという作用を有するものである。
【発明の効果】
【００１８】
以上のように本発明によれば、使い易く、多様な操作が可能なリモコン送信機を実現できるという有利な効果が得られる。
【発明を実施するための最良の形態】
【００１９】
以下、本発明の実施の形態について、図１及び図２を用いて説明する。
【００２０】
なお、背景技術の項で説明した構成と同一構成の部分には同一符号を付して、詳細な説明を簡略化する。
【００２１】
（実施の形態）
図１は本発明の一実施の形態によるリモコン送受信装置のブロック回路図、図２は同平面図であり、同図において、１は略箱型でポリスチレンやＡＢＳ等の絶縁樹脂製のケースで、このケース１上面の開口孔にはゴムや絶縁樹脂製の複数の操作キー２Ａや２Ｂ等が配列され、これらが上下動可能に突出して操作手段２が形成されている。
【００２２】
そして、ケース１内には上下面に銅箔等によって複数の配線パターンが形成された、紙フェノールやガラス入りエポキシ等の配線基板（図示せず）が収納されると共に、操作手段２下方の配線基板上面には、複数の操作キー２Ａや２Ｂ等の上下動によって電気的接離を行う、複数のスイッチ接点（図示せず）が形成されている。
【００２３】
さらに、この配線基板にはアンテナ等によって送信手段２１や受信手段２２、マイコン等の電子部品によって制御手段２３が形成されると共に、ケース１上面には液晶表示素子等の表示手段５が設けられ、この送信手段２１や受信手段２２、表示手段５、複数のスイッチ接点が配線パターンを介して制御手段２３に接続されて、リモコン送信機２４が構成されている。
【００２４】
また、７はテレビやビデオ等の電子機器で、この前面には液晶表示素子やブラウン管等の表示手段８や、後方にスイッチ接点が形成された複数の操作キー９が設けられると共に、アンテナ等の送信手段２５と受信手段２６、マイコン等の制御手段２７から形成されたリモコン受信機２８が収納され、このリモコン受信機２８とリモコン送信機２４によって、リモコン送受信装置が構成されている。
【００２５】
以上の構成において、リモコン送信機２４を電子機器７に向けて、例えば選局用の操作キー２Ａを押圧操作すると、この下方のスイッチ接点の電気的接離が行われ、この電気的接離に応じて制御手段２３が、送信手段２１から電波の選局用の操作信号を電子機器７へ送信し、これをリモコン受信機２８の受信手段２６が受信し、制御手段２７によって、例えばテレビの表示手段８に放映されているチャンネルが切り換わる。
【００２６】
あるいは、電子機器７がビデオであった場合には、例えば再生用や早送り用の操作キー２Ｂを押圧操作すると、この下方のスイッチ接点の電気的接離を制御手段２３が検出し、これらの操作に応じた操作信号を電子機器７へ送信して、例えばビデオのディスクやテープの再生や早送りが行われる。
【００２７】
さらに、電子機器７の電源が入った状態で、所定の操作手段２を押圧操作してテレビの表示手段８に、例えば番組表や番組紹介等のメニューを表示させ、操作キー２Ｃを所定の方向に傾倒操作すると、この操作に応じた操作信号を制御手段２３が送信し、例えば表示手段８に表示されたカーソル等が移動して、番組表や番組紹介のメニューの選択が行われる。
【００２８】
つまり、リモコン送信機２４の複数の操作キー２Ａや２Ｂ、２Ｃ等の押圧操作に応じて、制御手段２３が電波の操作信号を送信手段２１から送信すると共に、これをリモコン受信機２８が受信することによって、電子機器７の様々な操作を、離れた場所から遠隔操作できるように構成されている。
【００２９】
また、このようなリモコン送信機２４の表示手段５には、一般に図２に示すように日付や時刻等が表示されており、内蔵された電池の消耗を防ぐために、リモコン送信機２４が所定時間使用されず、操作手段２が例えば数十分以上操作されない場合には、制御手段２３が表示手段５を消灯し余分な電力を消費しない、いわゆるスリープモードとなる。
【００３０】
そして、次に電子機器７を遠隔操作するために、操作手段２のいずれかの操作キーが操作されると、制御手段２３がこれを検出し、スリープモードを解除して、表示手段５に日付や時刻等が表示されるようになっている。
【００３１】
さらに、本実施の形態においては、電子機器７の電源は入っているが例えばテレビの表示手段８は消えた状態、すなわち地上デジタル放送は受信可能な状態で、上記のようにリモコン送信機２４が所定時間使用されず、スリープモードとなっていた場合、制御手段２３が所定間隔、例えば数時間おきに時刻や天気予報等の電波の要求信号を、送信手段２１から電子機器７に送信する。
【００３２】
また、この要求信号をリモコン受信機２８の受信手段２６が受信すると、制御手段２７がこれに応じて、地上デジタル放送で受信した時刻や天気予報等の最新のデータを、送信手段２５から電波の回答信号として返信し、これを受信手段２２が受信して制御手段２３が記憶する。
【００３３】
そして、操作手段２のいずれかの操作キーが操作されると、制御手段２３がこれを検出し、リモコン送信機２４のスリープモードを解除して、電子機器７を遠隔操作することが可能になると共に、制御手段２３が記憶した最新の時刻や天気予報等を表示手段５に表示する。
【００３４】
つまり、リモコン送信機２４がスリープモードの状態でも、制御手段２３が所定間隔で時刻や天気予報等の要求信号を送信し、リモコン受信機２８から受信した回答信号の内容を記憶すると共に、スリープモードが解除された時には、この最新の時刻や天気予報等を表示手段５に表示することによって、内蔵された電池の消耗等によって時刻にずれが生じることを防ぎ、常に誤差がなく正確な時刻が表示手段５に表示されるように構成されている。
【００３５】
また、電池を交換した際等にも、この直後には時刻のずれが生じるが、所定時間後には、上記のように制御手段２３が最新の時刻を記憶し、これを表示手段５に表示するため、操作手段２の複数の操作キーの操作によって時刻合わせを行わなくとも、正確な時刻が表示されるようになっている。
【００３６】
さらに、上記のように時刻に加え天気予報についても、制御手段２３がリモコン受信機２８と双方向の通信を行い、最新の天気予報を記憶し表示手段５に表示することで、操作手段２の煩雑な操作を行うことなく、常に最新の天気予報が表示手段５に表示されるため、使い易く、多様な操作を行うことができる。
【００３７】
なお、以上の説明では、リモコン送信機２４がスリープモード時に、制御手段２３が所定間隔で要求信号を送信し、回答信号の内容を記憶して表示手段５に表示する構成について説明したが、スリープモードであるか否かに係わらず、遠隔操作のために操作手段２が操作されていない場合には、制御手段２３が常に所定間隔で要求信号を送信し、最新の回答信号の内容を記憶する構成としてもよい。
【００３８】
また、上記のように制御手段２３が所定間隔で要求信号を送信するのではなく、操作手段２の操作キーの所定の操作、例えば時刻や天気予報用の操作キーを設け、この操作キーの押圧操作に応じて、制御手段２３が要求信号を送信し、回答信号の内容を記憶して表示手段５に表示するようにすれば、必要な時にだけ時刻や天気予報等の最新のものが得られるため、電池の消耗をより少ないものとすることも可能となる。
【００３９】
なお、送信手段２１と受信手段２６、送信手段２５と受信手段２２を発光ダイオードや受光素子等で形成し、リモコン送信機２４とリモコン受信機２８の送受信を、赤外線によって行う構成としても本発明の実施は可能であるが、以上のように電波で双方向の通信を行うことによって、リモコン送信機２４が電子機器７から離れた位置に置かれていた場合や、あるいはこれらの間に家具等の遮蔽物があった場合でも、要求信号や回答信号のやり取り、及び操作信号による遠隔操作をより確実に行うことができる。
【００４０】
このように本実施の形態によれば、所定間隔または操作キーの所定の操作に応じて、制御手段２３が要求信号を送信すると共に、受信した時刻や天気予報等の回答信号の内容を表示手段５に表示することによって、表示手段５に表示された時刻にはずれがなく、常に正確な時刻が表示されると共に、天気予報等も操作手段２の煩雑な操作を行うことなく、常に最新のものが表示手段５に表示されるため、使い易く、多様な操作が可能なリモコン送信機を得ることができるものである。
【００４１】
なお、以上の説明では、時刻や天気予報等の要求信号を制御手段２３が送信し、記憶する構成について説明したが、これに代えて、最新のものが必要な他のデータの要求信号を制御手段２３が送信し、これらを表示手段５に表示する構成としても本発明の実施は可能である。
【００４２】
また、以上の説明では、判り易くするため説明を省略したが、上記のように電波を用いて双方向の通信を行うリモコン送信機２４とリモコン受信機２８の場合、赤外線方式のもの等に比べ通信範囲が広く、室内に置かれた他の機器、あるいは他の部屋の機器にまで電波が届き、意図しない機器まで誤操作してしまうことを防ぐため、使用前には操作手段２や操作キー９の所定の操作によって、一組のリモコン送信機２４とリモコン受信機２８のみがペアとして操作可能となる設定、いわゆるペアリングが一般的に行われている。
【産業上の利用可能性】
【００４３】
本発明によるリモコン送信機は、使い易く、多様な操作が可能なものが得られ、主に各種電子機器の操作用として有用である。
【図面の簡単な説明】
【００４４】
【図１】本発明の一実施の形態によるリモコン送受信装置のブロック回路図
【図２】同平面図
【図３】従来のリモコン送受信装置の平面図
【符号の説明】
【００４５】
１  ケース
２  操作手段
２Ａ、２Ｂ、２Ｃ  操作キー
５  表示手段
７  電子機器
８  表示手段
９  操作キー
２１  送信手段
２２  受信手段
２３  制御手段
２４  リモコン送信機
２５  送信手段
２６  受信手段
２７  制御手段
２８  リモコン受信機
【図１】
2010178252.tif 000003
【図２】
2010178252.tif 000004
【図３】
2010178252.tif 000005